(57)【要約】【課題】本発明は、撮影装置において、デジタルカメラにおいてフラッシュメモリ等の記録媒体における初期化処理に係る時間、特に、論理変換テーブルの初期化処理が必要な記録媒体に対する使用開始までの時間を短縮することである。【解決手段】デジタルカメラ１００では、撮影処理において、電源スイッチＳＷ１のオンや、レンズバリアの開放後に、メモリカードの初期化処理を実行せず、初期動作直後にメモりカードのメモリカード管理情報のみを先に取得し、撮影に関わるレリーズ操作の検出処理及びＡＥ・ＡＦ処理を実行し、撮像された画像データを生成した後に、メモリーカードの初期化処理を実行するようにしたため、電源オン直後に最初の一枚目を撮影可能にするまでの時間を短縮できる。【選択図】　　　　　図１
2004023540.tif 000002
【特許請求の範囲】
【請求項１】
撮像手段から撮像画像を取得する撮像画像取得手段と、この取得された撮像画像を記録媒体に記録する記録手段と、を備えた撮影装置において、
前記撮像画像取得手段により撮像画像が取得された後、前記記録媒体を使用するための初期化処理を行い、前記記録手段により当該撮像画像を当該記録媒体に記録させる記録制御手段を備えたことを特徴とする撮影装置。
【請求項２】
前記撮像画像取得手段により撮像画像を表示する表示手段を備え、
前記記録制御手段は、前記表示手段に撮像画像が表示されている際に、前記記録媒体の初期化処理を行うことを特徴とする請求項１記載の撮影装置。
【請求項３】
前記記録制御手段は、前記撮像画像取得手段により撮像画像が取得された後、前記記録媒体の当該撮像画像を記録させる領域のみに対して初期化処理を行うことを特徴とする請求項１又は２に記載の撮影装置。
【請求項４】
前記撮像画像取得手段により取得された撮像画像を記憶する撮像画像記憶手段を備え、
前記記録制御手段は、前記撮像画像取得手段により取得された撮像画像を前記撮像画像記憶手段に記憶した後、前記記録媒体の初期化処理を行うことを特徴とする請求項１から３の何れか一項に記載の撮影装置。
【請求項５】
前記記録制御手段は、
前記記録媒体の初期化処理に際して、前記撮像画像記憶手段に記憶した撮像画像が当該記録媒体に記録可能か否かを判断する記録可否判断手段と、
前記記録可否判断手段により記録可能でないと判断されると、前記撮像画像記憶手段に撮像画像が記憶されていることと、記録媒体が記録不可であることを報知する報知手段を備えたことを特徴とする請求項４記載の撮影装置。
【請求項６】
前記記録制御手段は、撮影装置の始動直後に前記記録媒体の使用状態を検出することを特徴とする請求項１から５の何れか一項に記載の撮影装置。
【発明の詳細な説明】
【０００１】
【発明の属する技術分野】
本発明は、撮影装置に関する。
【０００２】
【従来の技術】
近時、デジタルカメラは、撮影結果をその場で確認でき、メモリカードに記録した画像データを自宅のパーソナルコンピュータ等で簡単に印刷できるため、急速に普及している。このため、デジタルカメラに対するユーザーの要望が多様化し、デジタルカメラメーカーでは、撮影機能の高機能化や撮影機能以外の付加機能を追加して、競合メーカーと差別化を図る傾向にあり、高機能化と多機能化の進展が加速している。
【０００３】
【発明が解決しようとする課題】
しかしながら、このような従来のデジタルカメラにあっては、高機能化と多機能化を進展させるためには、制御系に対する要求性能も高くなり、制御系の中枢をなすＣＰＵ（Ｃｅｎｔｒａｌ　Ｐｒｏｃｅｓｓｉｎｇ　Ｕｎｉｔ　）やメモリに対する処理負担も増大する傾向にある。
【０００４】
また、デジタルカメラの高機能化と多機能化を望むユーザーは、その操作性も重視するため、処理負担が重くなったために、撮影が可能になるまでの待ち時間や、撮影後のデータ書き込み時間が長くなって、撮影機会を逃すような事態は好ましくない。
【０００５】
例えば、デジタルカメラにおいて画像データ記録用のメモリカードとして多く利用されているフラッシュメモリは、その内部メモリ空間の管理手順（初期化手順、データ書き込み手順、データ消去手順、データ書き換え手順）が煩雑であり、デジタルカメラの各動作モードにおいて処理速度を遅らせる大きな要因になっていた。
【０００６】
現在、主に用いられているメモリカードの中には、メモリスティック（商標）のように、メモリカードへの読取／記録を行おうとする度に、論理物理変換テーブルを初期化しなければならないものがある。（ｈｔｔｐ：／／ｗｗｗ．ｍｅｍｏｒｙｓｔｉｃ．ｏｒｇ／ｍｓｅａｓｙ／ｊｐ／ｍｓｔｅｃ／ｇ−ｒｏｎｒｉ．ｐｄｆ参照）
この類のメモリカードを使用（読取／記録）する場合、使用する度に論理物理変換テーブルを初期化しなければならず、使用可能になるまでに時間がかかっていた。
【０００７】
本発明の課題は、撮影装置において、デジタルカメラにおいてフラッシュメモリ等の記録媒体における初期化処理に係る時間、特に、論理変換テーブルの初期化処理が必要な記録媒体に対する使用開始までの時間を短縮することである。
【０００８】
【課題を解決するための手段】
上記課題を解決するため、請求項１記載の発明は、
撮像手段から撮像画像を取得する撮像画像取得手段と、この取得された撮像画像を記録媒体に記録する記録手段と、を備えた撮影装置において、
前記撮像画像取得手段により撮像画像が取得された後、前記記録媒体を使用するための初期化処理を行い、前記記録手段により当該撮像画像を当該記録媒体に記録させる記録制御手段を備えたことを特徴としている。
【０００９】
この請求項１記載の発明によれば、
撮像手段から撮像画像を取得する撮像画像取得手段と、この取得された撮像画像を記録媒体に記録する記録手段と、を備えた撮影装置において、記録制御手段が前記撮像画像取得手段により撮像画像が取得された後、前記記録媒体を使用するための初期化処理を行い、前記記録手段により当該撮像画像を当該記録媒体に記録させる。
【００１０】
したがって、撮影装置の始動直後に最初の一枚目を撮影可能にするまでの時間を短縮できる。
【００１１】
また、請求項２記載の発明は、請求項１記載の撮影装置において、前記撮像画像取得手段により撮像画像を表示する表示手段を備え、前記記録制御手段は、前記表示手段に撮像画像が表示されている際に、前記記録媒体の初期化処理を行うようにしてもよい。
【００１２】
この請求項２記載の発明によれば、
前記撮像画像取得手段により撮像画像を表示する表示手段を備え、前記記録制御手段は、前記表示手段に撮像画像が表示されている際に、前記記録媒体の初期化処理を行うことにより、ユーザーに記録媒体の初期化処理を意識させることがなくなり、最初の一枚目が撮影可能になるまでの時間が短くなったように意識させることができる。
【００１３】
また、請求項３記載の発明は、請求項１又は２記載の撮影装置において、前記記録制御手段は、前記撮像画像取得手段により撮像画像が取得された後、前記記録媒体の当該撮像画像を記録させる領域のみに対して初期化を行うようにしてもよい。
【００１４】
この請求項３記載の発明によれば、
前記記録制御手段は、前記撮像画像取得手段により撮像画像が取得された後、前記記録媒体の当該撮像画像を記録させる領域のみに対して初期化を行うことにより、ユーザーに記録媒体の初期化処理を意識させることなく、記録媒体の初期化処理を短時間で実行できる。
【００１５】
また、請求項４記載の発明は、請求項１から３の何れか一項に記載の撮影装置において、前記撮像画像取得手段により取得された撮像画像を記憶する撮像画像記憶手段を備え、前記記録制御手段は、前記撮像画像取得手段により取得された撮像画像を前記撮像画像記憶手段に記憶した後、前記記録媒体の初期化処理を行うようにしてもよい。
【００１６】
この請求項４記載の発明によれば、前記撮像画像取得手段により取得された撮像画像を記憶する撮像画像記憶手段を備え、前記記録制御手段は、前記撮像画像取得手段により取得された撮像画像を前記撮像画像記憶手段に記憶した後、前記記録媒体の初期化処理を行うことにより、記録媒体に撮像画像が記録できない場合でも、撮像画像を撮像画像記憶手段にキープさせておくことができ、撮影装置の利便性及び信頼性を向上できる。
【００１７】
また、請求項５記載の発明は、請求項４記載の撮影装置において、前記記録制御手段は、前記記録媒体の初期化処理に際して、前記撮像画像記憶手段に記憶した撮像画像が当該記録媒体に記録可能か否かを判断する記録可否判断手段と、前記記録可否判断手段により記録可能でないと判断されると、前記撮像画像記憶手段に撮像画像が記憶されていることと、記録媒体が記録不可であることを報知する報知手段を備えるようにしてもよい。
【００１８】
この請求項５記載の発明によれば、
前記記録制御手段は、前記記録媒体の初期化処理に際して、前記撮像画像記憶手段に記憶した撮像画像が当該記録媒体に記録可能か否かを判断する記録可否判断手段と、前記記録可否判断手段により記録可能でないと判断されると、前記撮像画像記憶手段に撮像画像が記憶されていることと、記録媒体が記録不可であることを報知する報知手段を備えることにより、撮像画像を無駄にすることなく記録媒体の異常をユーザーに確実に報知でき、撮影装置の利便性及び信頼性を向上できる。
【００１９】
また、請求項６記載の発明は、請求項１から５の何れか一項に記載の撮影装置において、前記記録制御手段は、撮影装置の始動直後に前記記録媒体の使用状態を検出するようにしてもよい。
【００２０】
この請求項６記載の発明によれば、
前記記録制御手段は、撮影装置の始動直後に前記記録媒体の使用状態を検出することにより、記録媒体の初期化処理を効率よく実行できる。
【００２１】
【発明の実施の形態】
以下、図を参照して本発明の実施の形態を詳細に説明する。
［第１の実施の形態］
図１〜図３は、本発明を適用したデジタルカメラの第１の実施の形態を示す図である。
まず、構成を説明する。
図１において、デジタルカメラ１００は、レンズユニット１、撮像部２、画像信号処理部３、内蔵メモリ４、メモリカードＡ５、メモリカードＢ６、モニタ駆動回路７、液晶モニタ８、Ｔ／Ｇ部９、ＣＰＵ１０、ＲＡＭ１１、ＲＯＭ１２、キーマトリックス１３、二次電池１４、電源スイッチＳＷ１及び扉開閉スイッチＳＷ２により構成されている。
【００２２】
また、デジタルカメラ１００は、図２に示す外観斜視図のように、筐体１００ａの前面にレンズユニット１等を備え、更に、筐体１００ａの底面には、形状が異なる２種類のメモリカードＡ、メモリカードＢを同時に収納可能なメモリスロット２０と、二次電池１４を収納する電池スロット３０と、メモリカードＡ、メモリカードＢ及び二次電池１４の着脱時に開閉されるスロット開閉扉１００ｂとを備える。
【００２３】
ユーザーが、図２のスロット開閉扉１００ｂを開扉することにより、メモリスロット２０に対するメモリカードＡ、メモリカードＢの着脱と、電池スロット３０に対する二次電池１４の着脱とが可能になる。但し、スロット開閉扉１００ｂが開扉されたとき、二次電池１４は、電池スロット３０内部に形成された電源端子部（図示せず）との電気的接続状態が開放されるため電源オフ状態になる。
【００２４】
また、図２に示すメモリカードＡの端子部Ａ１と、メモリカードＢの端子部Ｂ１は、メモリスロット２０に装着された際に、そのメモリスロット２０内の装着方向奥部において各端子部Ａ１及びＢ１の各対向位置に形成された各接続端子（図示せず）と電気的に接続される。
これらメモリカードＡ、メモリカードＢの着脱状態は、後述するメモリカードＩ／Ｏ１６により検出され、その検出信号がＣＰＵ１０に出力される。また、メモリカードＡ及びメモリカードＢは、メモリカードＩ／Ｏ１６を介して、ＣＰＵ１０により画像データの記録、読み出し、消去が行われる。
【００２５】
レンズユニット１は、被写体の光学像を取り込むレンズ群からなり、レンズ群を透過した光束の光量を調節すると共に露光の調節を行う絞り、レンズユニット１の光路上において結像された被写体の光学像を、撮像部２内の図示しないＣＣＤ（Ｃｈａｒｇｅ　Ｃｏｕｐｌｅｄ　Ｄｅｖｉｃｅ）により光電変換し、光電変換した画像信号（アナログ信号）を撮像信号処理部３に出力する。撮像部２は、Ｔ／Ｇ部９から入力されるタイミング信号に同期して、ＣＣＤの光電変換タイミングを制御する。
【００２６】
画像信号処理部３は、撮像部２から入力された画像信号に感度補正等の各種画像処理を行って所定の画像信号を生成し、生成した画像信号をアナログ信号からデジタル信号に変換し、ＣＰＵ１０からの画像表示指示により、デジタル変換した画像データをモニタ駆動回路７に出力するとともに、ＣＰＵ１０からの画像記録指示により、デジタル変換した画像データを内蔵メモリ４に展開しながら所定の圧縮方式により圧縮して、メモリカードＡ５、Ｂ６に記録する。
なお、画像データをメモリカードＡ５、Ｂ６のどちらかに記録するかは、ユーザーの指示により適宜選択可能である。
【００２７】
また、画像信号処理部３は、ＣＰＵ１０からの画像読み出し指示により、メモリカードＡ５、Ｂ６から指示された画像の圧縮データを読み出し、内蔵メモリ４を利用して伸張し、伸張した画像データをモニタ駆動回路７に出力して、読み出した画像を表示させる。
なお、画像信号処理部３は、撮像画像取得手段としての機能を有する。
【００２８】
内蔵メモリ４は、画像信号処理部３から入力された処理中の画像データを一時的に記憶する。なお、内蔵メモリ４は、撮像画像記憶手段としての機能を有する。
メモリカードＡ５及びメモリカードＢ６は、フラッシュメモリ等の半導体メモリからなる画像記録用メモリであり、画像信号処理部３により圧縮処理された画像データが記録される。メモリカードＡ５及びメモリカードＢ６は、ユーザーにより着脱可能であり、その内部メモリ空間に対する初期化、フォーマット、画像データの記録動作及び消去動作等がＣＰＵ１０により制御される。
なお、メモリカードＡ５及びメモリカードＢ６は、記録媒体としての機能を有する。
【００２９】
モニタ駆動回路７は、ＣＰＵ１０から入力される各種表示指示に応じて、画像信号処理部３から入力される画像データや、撮影モードや各種設定に必要な操作画面データを画像表示信号に変換し、この画像表示信号により液晶モニタ８を駆動制御して撮影画像や操作画面等を表示させる。
【００３０】
液晶モニタ８は、カラー液晶パネルにより構成され、モニタ駆動回路７により駆動制御され、撮影画像や操作画面等を表示する。なお、液晶モニタ８は、表示手段としての機能を有する。
【００３１】
ＴＧ（タイミングジェネレータ）部９は、ＣＰＵ１０からの指示により所定のタイミング信号を発生して撮像部２に出力する。
【００３２】
ＣＰＵ（Ｃｅｎｔｒａｌ　Ｐｒｏｃｅｓｓｉｎｇ　Ｕｎｉｔ　）１０は、ＲＯＭ１２に記憶されているデジタルカメラ１００としての各種機能に関る各種アプリケーションプログラムをＲＡＭ１１内のワークエリアに読み出し、当該プログラムに従って撮影処理、メモリカード処理等の各種処理を実行し、処理結果を液晶モニタ８に表示させる。
【００３３】
また、ＣＰＵ１０は、メモリカードＡ５及びメモリカードＢ６の内部メモリ空間に対する初期化、フォーマット、画像データの記録動作及び消去動作等を制御するとともに、メモリスロット２０に対するメモリカードＡ５及びメモリカードＢ６の着脱情報、内部メモリ空間の初期化済み情報、フォーマット済み情報及び使用ブロック領域や空きブロック領域を示すＦＡＴ（Ｆｉｌｅ　Ａｌｌｏｃａｔｉｏｎ　Ｔａｂｌｅｓ）情報等のメモリカード管理情報を生成してメモリカードＡ５及びメモリカードＢ６に記録する。
【００３４】
また、ＣＰＵ１０は、電源オフ時（電源スイッチＳＷ１オフ操作時、又は図２のスロット開閉扉１００ｂ開扉時等を含む）も機能するメモリＩ／Ｏ１６から入力されるメモリ着脱検出信号に基づいてメモリカードの着脱情報を生成してＲＡＭ１１に記憶する。
【００３５】
さらに、ＣＰＵ１０は、デジタルカメラ１００の電源スイッチＳＷ１がオンされたり、レンズバリアが開かれると、後述する撮影処理（図３参照）を開始し、レンズユニット１の初期駆動及び液晶モニタ８をオンして、レンズユニット１により撮像される画像を液晶モニタ８にプレビュー表示させ、メモリカードＡ５及び（又は）メモリカードＢ６に記憶されたメモリカード管理情報を読み取って、メモリカードＡ５及び（又は）メモリカードＢ６の使用状態として、メモリカードＡ５及び（又は）メモリカードＢ６に記憶された内部メモリ空間の初期化済み情報、フォーマット済み情報及び使用ブロック領域や空きブロック領域を示すＦＡＴ（Ｆｉｌｅ　Ａｌｌｏｃａｔｉｏｎ　Ｔａｂｌｅｓ）情報等を確認する。
【００３６】
そして、ＣＰＵ１０は、キーマトリックス１３におけるレリーズＳＷのＳ１操作（半押し操作）を検出すると、被写体に対するＥ（Ａｕｔｏ　Ｅｘｐｏｓｕｒｅ）及びＡＦ（Ａｕｔｏ　Ｆｏｃｕｓ）処理を実行し、レリーズＳＷのＳ２操作（撮影操作）を検出すると、画像信号処理部３により撮像画像信号から画像データを作成させ、メモリカードＡ５及び（又は）メモリカードＢ６の初期化処理を行って作成された画像データをメモリカードＡ５及び（又は）メモリカードＢ６に記録する。
なお、ＣＰＵ１０は、記録手段及び記録制御手段としての機能を有する。
【００３７】
ＲＡＭ（Ｒａｎｄｏｍ　Ａｃｃｅｓｓ　Ｍｅｍｏｒｙ）１１は、揮発性の半導体メモリであり、ＣＰＵ１０が処理中のプログラム、データ、メモリカードの着脱情報等を一時的に記憶するワークエリアを有する。
【００３８】
ＲＯＭ（Ｒｅａｄ　Ｏｎｌｙ　Ｍｅｍｏｒｙ）１２は、プログラマブルな半導体メモリであり、ＣＰＵ１０により実行されるデジタルカメラ１００としての各種機能に関る各種アプリケーションプログラムを記憶する。
【００３９】
キーマトリックス１３は、レリーズＳＷや、機能を切り替えるモードＳＷ、設定を選択するメニューＳＷ等、各種操作スイッチを備え、各スイッチが押下されると、その押下信号を生成してＣＰＵ１０に出力する。
【００４０】
二次電池１４は、繰り返し使用可能な充電池であり、図２の電池スロット３０に装着されて、スロット開閉扉１００ｂが閉扉されると、電池スロット３０内部に形成された電源端子部（図示せず）と電気的に接続される。二次電池１４の出力電圧は、図中の模式的に示す電源スイッチＳＷ１を介して電源回路１５に供給される。
【００４１】
電源回路１５は、二次電池１４から供給される電圧を、図１に示す各ブロックにおいて必要な電源電圧に変換して供給する機能を有する。
【００４２】
メモリカードＩ／Ｏ１６は、電源供給ラインに接続された大容量コンデンサにより電源オフ時（二次電池１４が外された時も含む）も、その動作が維持されており、メモリスロット２０に対するメモリカードＡ５及びメモリカードＢ６の着脱を検出して着脱検出信号をＣＰＵ１０に出力する着脱検出機能と、ＣＰＵ１０とメモリカードＡ５及びメモリカードＢ６との間で画像データの記録、読み出し、消去を実行するためのデータＩ／Ｏ機能とを有する。
【００４３】
電源スイッチＳＷ１は、ユーザーにより操作され、電源オン操作により二次電池１４の出力段を電源回路１５の入力段に接続し、電源オフ操作により二次電池１４の出力段と電源回路１５の入力段との接続を開放する。
【００４４】
扉開閉スイッチＳＷ２は、ユーザーによるスロット開閉扉１００ｂの開閉操作に連動し、スロット開閉扉１００ｂが閉扉されるとオン状態になり、スロット開閉扉１００ｂが開扉されるとオフ状態になる。
【００４５】
次に、本実施の形態の動作を説明する。
まず、ＣＰＵ１０では、通常のデジタルカメラ１００の機能として、キーマトリックス１３から入力される操作信号に応じて、ＲＯＭ１２に記憶されているデジタルカメラ１００としての各種機能に関る各種アプリケーションプログラムがＲＡＭ１１内のワークエリアに読み出され、当該プログラムに従って撮影処理、メモリカード処理等の各種処理が実行され、処理結果が液晶モニタ８に表示される。
【００４６】
なお、以下の説明において、初期化処理とは「メモリカードＡ５及び（又は）メモリカードＢ６を使用可能になるように行わなければならないフォーマット処理」、特に、論理物理変換テーブルの初期化のように、「メモリカードＡ５及び（又は）メモリカードＢ６を使用する度に行わなければならないフォーマット処理」を指すものとする。
【００４７】
デジタルカメラ１００の電源スイッチＳＷ１がオンされたり、レンズバリアが開かれると、ＣＰＵ１０は、撮影処理を開始する。このＣＰＵ１により実行される撮影処理について、図３に示すフローチャートを参照して説明する。
図３において、ＣＰＵ１０は、まず、レンズユニット１の初期駆動及び液晶モニタ８をオンして、レンズユニット１により撮像される画像を液晶モニタ８にプレビュー表示させる（ステップＳ１，Ｓ２）。
【００４８】
次いで、ＣＰＵ１０は、メモリカードＡ５及び（又は）メモリカードＢ６に記憶されたメモリカード管理情報を読み取って（ステップＳ３）、メモリカードＡ５及び（又は）メモリカードＢ６の使用状態を確認する。
【００４９】
そして、ＣＰＵ１０は、キーマトリックス１３におけるレリーズＳＷのＳ１操作（半押し操作）を検出すると（ステップＳ４：Ｙｅｓ）、被写体に対するＡＥ（Ａｕｔｏ　Ｅｘｐｏｓｕｒｅ）及びＡＦ（Ａｕｔｏ　Ｆｏｃｕｓ）処理を実行する（ステップＳ５）。更に、レリーズＳＷのＳ２操作（撮影操作）を検出すると（ステップＳ６：Ｙｅｓ）、ＣＰＵ１０は、画像信号処理部３により撮像画像信号から画像データを作成させた後（ステップＳ７）、メモリカードＡ５及び（又は）メモリカードＢ６の初期化処理を行って（ステップＳ８）、作成された画像データをメモリカードＡ５及び（又は）メモリカードＢ６に記録する（ステップＳ９）。
【００５０】
以上のように、本第１の実施の形態におけるデジタルカメラ１００では、撮影処理において、電源スイッチＳＷ１のオンや、レンズバリアの開放後に、メモリカードの初期化処理を実行せず、初期動作直後にメモリカードのメモリカード管理情報のみを先に取得し、撮影に関わるレリーズ操作の検出処理及びＡＥ・ＡＦ処理を実行し、撮像された画像データを生成した後に、メモリーカードの初期化処理を実行するようにしたため、電源オン直後に最初の一枚目を撮影可能にするまでの時間を短縮できる。
【００５１】
また、デジタルカメラ１００の始動直後にメモリカード管理情報を先に取得し、撮影動作後にメモりカード初期化処理を行うようにしたため、メモリカード管理情報の取得及び初期化処理を連続して行う場合よりも、メモリカード初期化処理を効率よく行うことができる。
【００５２】
［第２の実施の形態］
本第２の実施の形態では、被写体のプレビュー表示処理と、メモリカード初期化処理とを並列化して処理する場合を説明する。なお、本第２の実施の形態におけるデジタルカメラの構成は、図１及び図２に示したデジタルカメラ１００と同一構成であるため、その構成の図示及び構成説明は省略する。
【００５３】
図４は、デジタルカメラ１００内のＣＰＵ１０により実行されるプレビュー表示処理を示すフローチャート、図５は、ＣＰＵ１０により実行されるメモリカード初期化処理を示すフローチャート、図６は、ＣＰＵ１０により実行される撮影処理を示すフローチャートである。
【００５４】
デジタルカメラ１００の電源スイッチＳＷ１がオンされたり、レンズバリアが開かれると、ＣＰＵ１０は、図４のプレビュー表示処理を開始し、まず、レンズユニット１の初期駆動及び液晶モニタ８をオンして（ステップＳ１１，Ｓ１２）、レンズユニット１により撮像される画像を液晶モニタ８にプレビュー表示させる（ステップＳ１３）。
【００５５】
次いで、ＣＰＵ１０は、プレビュー表示状態を継続しながら、図５のメモリカード初期化処理を開始し、メモリカードＡ５及び（又は）メモリカードＢ６に記憶されたメモリカード管理情報を読み取って（ステップＳ２１）、メモリカードＡ５及び（又は）メモリカードＢ６の使用状態を確認し、メモリカードＡ５及び（又は）メモリカードＢ６の初期化処理を行う（ステップＳ２２）。
【００５６】
続いて、ＣＰＵ１０は、メモリカード初期化処理を終了すると、図６の撮影処理を開始し、キーマトリックス１３におけるレリーズＳＷのＳ１操作（半押し操作）を検出すると（ステップＳ３１：Ｙｅｓ）、被写体に対するＡＥ（Ａｕｔｏ　Ｅｘｐｏｓｕｒｅ）及びＡＦ（Ａｕｔｏ　Ｆｏｃｕｓ）処理を実行する（ステップＳ３２）。更に、レリーズＳＷのＳ２操作（撮影操作）を検出すると（ステップＳ３３：Ｙｅｓ）、ＣＰＵ１０は、画像信号処理部３により撮像画像信号から画像データを作成させた後（ステップＳ３４）、作成された画像データをメモリカードＡ５及び（又は）メモリカードＢ６に記録する（ステップＳ３５）。
【００５７】
以上のように、本第２の実施の形態におけるデジタルカメラ１００では、プレビュー表示させながらメモリカード初期化処理を並行して実行するようにしたため、ユーザーにメモリカード初期化処理を意識させることがなくなり、最初の一枚目が撮影可能になるまでの時間が短くなったように意識させることができる。
【００５８】
［第３の実施の形態］
本第３の実施の形態では、撮影処理に際して撮影された画像データを記録するのに必要な記録領域分のメモリカード初期化処理を実行する場合を説明する。なお、本第３の実施の形態におけるデジタルカメラの構成は、図１及び図２に示したデジタルカメラ１００と同一構成であるため、その構成の図示及び構成説明は省略する。
【００５９】
図７は、デジタルカメラ１００内のＣＰＵ１０により実行される撮影処理を示すフローチャートである。
【００６０】
デジタルカメラ１００の電源スイッチＳＷ１がオンされたり、レンズバリアが開かれると、ＣＰＵ１０は、図７の撮影処理を開始し、まず、レンズユニット１の初期駆動及び液晶モニタ８をオンして（ステップＳ４１，Ｓ４２）、レンズユニット１により撮像される画像を液晶モニタ８にプレビュー表示させる。
【００６１】
次いで、ＣＰＵ１０は、キーマトリックス１３におけるレリーズＳＷのＳ１操作（半押し操作）を検出すると（ステップＳ４３：Ｙｅｓ）、被写体に対するＡＥ（Ａｕｔｏ　Ｅｘｐｏｓｕｒｅ）及びＡＦ（Ａｕｔｏ　Ｆｏｃｕｓ）処理を実行する（ステップＳ４４）。更に、レリーズＳＷのＳ２操作（撮影操作）を検出すると（ステップＳ４５：Ｙｅｓ）、ＣＰＵ１０は、画像信号処理部３により撮像画像信号から画像データを作成させた後（ステップＳ４６）、メモリカードＡ５及び（又は）メモリカードＢ６に記憶されたメモリカード管理情報を読み取って（ステップＳ４７）、メモリカードＡ５及び（又は）メモリカードＢ６の使用状態を確認する。
【００６２】
そして、ＣＰＵ１０は、メモリカードＡ５及び（又は）メモリカードＢ６の使用状態の確認により、今回の画像データの書き込み対象領域を決定し、その書き込み対象領域のみに初期化処理を実行し（ステップＳ４８）、作成された画像データをメモリカードＡ５及び（又は）メモリカードＢ６内の書き込み対象領域に記録する（ステップＳ４９）。
【００６３】
以上のように、本第３の実施の形態におけるデジタルカメラ１００では、撮影処理に際して、撮影された画像データを記録するのに必要な記録領域分のメモリカード初期化処理を実行するようにしたため、ユーザーにメモリカード初期化処理を意識させることなく、メモリカード初期化処理を短時間で実行できる。
【００６４】
［第４の実施の形態］
本第４の実施の形態では、撮影処理に際して撮影された画像データを一旦内蔵メモリに記録した後、メモリカードの使用状態の確認及び初期化処理を実行する場合を説明する。なお、本第４の実施の形態におけるデジタルカメラの構成は、図１及び図２に示したデジタルカメラ１００と同一構成であるため、その構成の図示及び構成説明は省略する。
【００６５】
図８は、デジタルカメラ１００内のＣＰＵ１０により実行される撮影処理を示すフローチャートである。
【００６６】
デジタルカメラ１００の電源スイッチＳＷ１がオンされたり、レンズバリアが開かれると、ＣＰＵ１０は、図８の撮影処理を開始し、まず、レンズユニット１の初期駆動及び液晶モニタ８をオンして（ステップＳ５１，Ｓ５２）、レンズユニット１により撮像される画像を液晶モニタ８にプレビュー表示させる。
【００６７】
次いで、ＣＰＵ１０は、キーマトリックス１３におけるレリーズＳＷのＳ１操作（半押し操作）を検出すると（ステップＳ５３：Ｙｅｓ）、被写体に対するＡＥ（Ａｕｔｏ　Ｅｘｐｏｓｕｒｅ）及びＡＦ（Ａｕｔｏ　Ｆｏｃｕｓ）処理を実行する（ステップＳ５４）。更に、レリーズＳＷのＳ２操作（撮影操作）を検出すると（ステップＳ５５：Ｙｅｓ）、ＣＰＵ１０は、画像信号処理部３により撮像画像信号から画像データを作成させた後（ステップＳ５６）、その画像データを内蔵メモリ４に書き込ませる（ステップＳ５７）。
【００６８】
この後、ＣＰＵ１０は、メモリカードＡ５及び（又は）メモリカードＢ６に記憶されたメモリカード管理情報を読み取って（ステップＳ５８）、メモリカードＡ５及び（又は）メモリカードＢ６の使用状態を確認し、今回の画像データがメモリカードＡ５及び（又は）メモリカードＢ６に記録可能か否かを判断する（ステップＳ５９）。
すなわち、ＣＰＵ１０は、記録可否判断手段としての機能を有する。
【００６９】
ＣＰＵ１０は、今回の画像データがメモリカードＡ５及び（又は）メモリカードＢ６に記録できないと判断すると（ステップＳ５９：Ｎｏ）、画像データがメモリカード記録できないこと、内蔵メモリ４に画像データが記憶されていること等を含むメモリカードエラーメッセージを液晶モニタ８に表示させ（ステップＳ６０）、本処理を終了する。
【００７０】
また、ＣＰＵ１０は、今回の画像データがメモリカードＡ５及び（又は）メモリカードＢ６に記録できると判断すると（ステップＳ５９：Ｙｅｓ）、メモリカードＡ５及び（又は）メモリカードＢ６の初期化処理を行って（ステップＳ６１）、内蔵メモリ４に書き込まれた画像データを読み出して、メモリカードＡ５及び（又は）メモリカードＢ６に記録する（ステップＳ６２）。
【００７１】
以上のように、本第４の実施の形態におけるデジタルカメラ１００では、撮影処理に際して、撮影された画像データを一旦内蔵メモリ４に書き込み、この画像データがメモリカードＡ５及び（又は）メモリカードＢ６に記録可能か否かを判断して、記録不可の場合はエラーメッセージを液晶モニタ８に表示して、画像データがメモリカード記録できないこと、内蔵メモリ４に画像データが記憶されていること等をユーザーに知らせるようにした。
すなわち、液晶モニタ８は報知手段としての機能を有する。
【００７２】
したがって、メモリカードに画像データが記録できない場合でも、少なくとも一枚分の画像データは内蔵メモリ４にキープさせておくことができ、デジタルカメラの利便性及び信頼性を向上できる。また、撮影された画像データは、まず内蔵メモリに書き込んだ後、メモリカード初期化処理を実行するようにしたため、電源オン直後に最初の一枚目を撮影可能にするまでの時間も短縮できる。
【００７３】
なお、上記実施の形態のデジタルカメラ１００では、２種類のメモリカードＡ５とメモリカードＢ５とを装着する場合を示したが、メモリカードの装着数やその種類等を特に限定するものではない。
【００７４】
また、本発明は、上記実施の形態に示したデジタルカメラ１００に限るものではなく、少なくともメモリカード及び電池を備えるビデオカメラ等の撮影装置にも適用可能である。
【００７５】
【発明の効果】
請求項１記載の発明によれば、撮影装置の始動直後に最初の一枚目を撮影可能にするまでの時間を短縮できる。
【００７６】
請求項２記載の発明によれば、ユーザーに記録媒体の初期化処理を意識させることがなくなり、最初の一枚目が撮影可能になるまでの時間が短くなったように意識させることができる。
【００７７】
請求項３記載の発明によれば、ユーザーに記録媒体の初期化処理を意識させることなく、記録媒体の初期化処理を短時間で実行できる。
【００７８】
請求項４記載の発明によれば、記録媒体に撮像画像が記録できない場合でも、撮像画像を撮像画像記憶手段にキープさせておくことができ、撮影装置の利便性及び信頼性を向上できる。
【００７９】
請求項５記載の発明によれば、撮像画像を無駄にすることなく記録媒体の異常をユーザーに確実に報知でき、撮影装置の利便性及び信頼性を向上できる。
【００８０】
請求項６記載の発明によれば、記録媒体の初期化処理を効率よく実行できる。
【図面の簡単な説明】
【図１】本発明を適用した第１の実施の形態におけるデジタルカメラ１００の内部構成を示すブロック図である。
【図２】図１のデジタルカメラ１００の外観斜視図である。
【図３】図１のＣＰＵ１０により実行される撮影処理を示すフローチャートである。
【図４】本発明を適用した第２の実施の形態におけるデジタルカメラ１００のＣＰＵ１０により実行されるプレビュー表示処理を示すフローチャートである。
【図５】第２の実施の形態におけるデジタルカメラ１００のＣＰＵ１０により実行されるメモリカード初期化処理を示すフローチャートである。
【図６】第２の実施の形態におけるデジタルカメラ１００のＣＰＵ１０により実行される撮影処理を示すフローチャートである。
【図７】第３の実施の形態におけるデジタルカメラ１００のＣＰＵ１０により実行される撮影処理を示すフローチャートである。
【図８】第４の実施の形態におけるデジタルカメラ１００のＣＰＵ１０により実行される撮影処理を示すフローチャートである。
【符号の説明】
１　　レンズユニット
２　　撮像部
３　　画像信号処理部
４　　内蔵メモリ
５　　メモリカードＡ
６　　メモリカードＢ
７　　モニタ駆動回路
８　　液晶モニタ
９　　Ｔ／Ｇ部
１０　　ＣＰＵ
１１　　ＲＡＭ
１２　　ＲＯＭ
１３　　キーマトリックス
１４　　二次電池
２０　　メモリスロット
３０　　電池スロット
ＳＷ１　電源スイッチ
ＳＷ２　扉開閉スイッチ
１００　デジタルカメラ
１００ａ　筐体
１００ｂ　スロット開閉扉
【図１】
2004023540.tif 000003
【図２】
2004023540.tif 000004
【図３】
2004023540.tif 000005
【図４】
2004023540.tif 000006
【図５】
2004023540.tif 000007
【図６】
2004023540.tif 000008
【図７】
2004023540.tif 000009
【図８】
2004023540.tif 000010